(57)【特許請求の範囲】
【請求項１】
光を反射するリフレクタを保持するための第１の取り付け穴とこの第１の取り付け穴よりも小さな径の第２の取り付け穴を有する筐体と、この筐体内に原稿の読取幅方向に延在して設けられ、前記リフレクタとの位置を保持するための第１の保持機構を有する導光体と、この導光体に沿って設けられ、前記導光体から出射された光を集光して前記原稿の照射部を照射し、前記リフレクタとの位置を保持するための第２の保持機構を有する集光レンズと、前記導光体及び集光レンズに沿った長さを有し、前記導光体の第１の保持機構と前記集光レンズの第２の保持機構と係合して前記導光体及び集光レンズを保持してその位置を維持する第３の保持機構を有すると共に、前記筐体に設けられた第１の取り付け穴と係合してその位置を保持する第４の保持機構および前記筐体に設けられた第２の取り付け穴に嵌合してその位置を保持する第５の保持機構を有する前記リフレクタと、前記集光レンズ及び導光体の端部に設置され、前記リフレクタと前記集光レンズ及び導光体を前記筐体の端部で位置固定するホルダーと、前記導光体の端面に近接して配置され、前記導光体に光を入射させる光源と、この光源を載置すると共に前記光源に電力を供給するリード端子を有し、前記ホルダー端面を覆う基板を備え、前記筐体の第１の取り付け穴、前記導光体の第１の保持機構、前記集光レンズの第２の保持機構、前記リフレクタの第３の保持機構および第４の保持機構は前記原稿の読取幅方向の両端以外に１つ乃至複数個設け、前記筐体の第２の取り付け穴および前記リフレクタの第５の保持機構は少なくとも前記導光体の長手方向の真中となる位置に設けたことを特徴とする密着型イメージセンサ。
【請求項２】
前記導光体の第１の保持機構は突起部、前記集光レンズの第２の保持機構は輪状の爪部、前記リフレクタの第３の保持機構は鍵状の爪部で構成されたことを特徴とする請求項１に記載の密着型イメージセンサ。
【請求項３】
前記リフレクタの第４の保持機構は前記筐体に設けられた第１の取り付け穴に貫通して引っ掛ける爪部、前記リフレクタの第５の保持機構は前記筐体に設けられた第２の取り付け穴に嵌合する突起部で構成されたことを特徴とする請求項１または請求項２に記載の密着型イメージセンサ。
【請求項４】
前記光源は、前記導光体の両端部に設置されている請求項１乃至請求項３のいずれか１項に記載の密着型イメージセンサ。
【請求項５】
前記光源、前記導光体、前記集光レンズ及び前記リフレクタは、前記照射部に対して読取幅方向と直交する両側に設置されている請求項１乃至請求項４のいずれか１項に記載の密着型イメージセンサ。
【請求項６】
光を反射するリフレクタを保持するための第１の取り付け穴とこの第１の取り付け穴よりも小さな径の第２の取り付け穴を有する筐体と、この筐体内に原稿の読取幅方向に延在して設けられ、前記リフレクタとの位置を保持するための第１の保持機構を有し、前記原稿の照射部を照射する導光体と、この導光体に沿った長さを有し、前記導光体の第１の保持機構と係合して前記導光体を保持してその位置を維持する第３の保持機構を有すると共に、前記筐体に設けられた第１の取り付け穴と係合してその位置を保持する第４の保持機構および前記筐体に設けられた第２の取り付け穴に嵌合してその位置を保持する第５の保持機構を有する前記リフレクタと、前記導光体の端部に設置され、前記リフレクタと前記導光体を前記筐体の端部で位置固定するホルダーと、前記導光体の端面に近接して配置され、前記導光体に光を入射させる光源と、この光源を載置すると共に前記光源に電力を供給するリード端子を有し、前記ホルダー端面を覆う基板を備え、前記筐体の第１の取り付け穴、前記導光体の第１の保持機構、前記リフレクタの第３の保持機構および第４の保持機構は前記原稿の読取幅方向の両端以外に１つ乃至複数個設け、前記筐体の第２の取り付け穴および前記リフレクタの第５の保持機構は少なくとも前記導光体の長手方向の真中となる位置に設けたことを特徴とする密着型イメージセンサ。
【請求項７】
前記光源は、前記導光体の両端部に設置されている請求項６に記載の密着型イメージセンサ。
【請求項８】
前記光源、前記導光体及び前記リフレクタは、前記照射部に対して読取幅方向と直交する両側に設置されている請求項６または請求項７に記載の密着型イメージセンサ。 
【発明の詳細な説明】
【技術分野】
【０００１】
この発明は、画像読取装置に使用される密着型イメージセンサに関するもので、特に原稿面を線状に照明する棒状の光源部を有した密着型イメージセンサに関するものである。
【背景技術】
【０００２】
ファクシミリ、コピー機、スキャナなどの画像読取装置に使用されるイメージセンサにおいては、画像情報を高速に読み込むためにはより多くの光量を読取面に照射することが必要であり、そのために光を集光させて読取面に照射する方法を用いることがある。
例えば、特開平５−１８１００４号公報（特許文献１参照）には、棒状の集光レンズがレンズホルダーに装填され、ＬＥＤ光源が複数個並べて配置されたＬＥＤプリント板の上にレンズホルダーが設置されたアッセンブル体を、基台の取付面に取り付けして光源部を構成したイメージセンサが開示されている。
【０００３】
また、密着型イメージセンサの光源としては、長手方向端部に光源を配置して同一光源から長手方向への光を伝播、拡散させることにより、照射光量の均一性が取りやすく、かつ安価な構成になる。
例えば、特開２０１０−１２４２９１号公報(特許文献２参照)には、原稿の読み取り幅方向に延在する棒状の導光体と、この導光体に沿って設けられ、導光体から出射された光を集光して原稿の照射部を照射する集光レンズと、この集光レンズ及び導光体の両端部を固定保持すると共に、導光体に光を入射させる光源を有したホルダーとから成る光源部が、筐体に収納されたイメージセンサが開示されている。
【先行技術文献】
【特許文献】
【０００４】
【特許文献１】特開平５-１８１００４号公報（図２、図３）
【特許文献２】特開２０１０−１２４２９１号公報（図１、図２）
【発明の概要】
【発明が解決しようとする課題】
【０００５】
しかし、特許文献１に記載のイメージセンサにおいては、ＬＥＤ光源から発せられた光は集光レンズ内で反射、或いは屈折などにより集められ、平行光線となって原稿の被読取部に照射されるので、原稿の被読取部は必要な部分については明るい照明が行なわれるものの、長手方向に多数の点光源を配置しているので、長手方向に均一な照明を行なうことが困難であった。また、読取幅に応じて点光源の数を増やす必要があり、読取幅によっては高価なイメージセンサになる課題があった。
【０００６】
また、特許文献２に記載のイメージセンサにおいては、両端部のみに光源を配置することで、廉価で均一な照明を確保しやすい構成であり、照明方向のホルダーで保持されている光源の両端部分では導光体および集光レンズの位置関係は設計通りに組み立てることが容易である。しかしながら光源部が長手方向（原稿の読取幅方向）に長くなると、光源中央部では、導光体および集光レンズの位置関係を両端部のように積極的に維持する構成がないため、導光体および集光レンズのソリ、たわみ、ねじれの影響により、特に原稿搬送方向と垂直の光軸方向の照明にバラツキが生じる課題があった。そのバラツキを解消するために、導光体および集光レンズのソリ矯正が必要であったり、光軸方向の位置を維持するために追加の部品を取り付けて導光体と集光レンズのたわみを調整する必要がある、という課題があった。
【０００７】
この発明は、上記のような課題を解消するためになされたものであり、追加の部品の貼り付け調整がなくても、光源部の長手方向に均一な照射性能を確保し、原稿面を効率よく照射することができる廉価で組立て性が良い密着型イメージセンサを提供することを目的とするものである。
【課題を解決するための手段】
【０００８】
この発明の密着型イメージセンサは、光を反射するリフレクタを保持するための第１の取り付け穴とこの第１の取り付け穴よりも小さな径の第２の取り付け穴を有する筐体と、この筐体内に原稿の読取幅方向に延在して設けられ、リフレクタとの位置を保持するための第１の保持機構を有する導光体と、この導光体に沿って設けられ、導光体から出射された光を集光して原稿の照射部を照射し、リフレクタとの位置を保持するための第２の保持機構を有する集光レンズと、導光体及び集光レンズに沿った長さを有し、導光体の第１の保持機構と集光レンズの第２の保持機構と係合して前記導光体及び集光レンズを保持してその位置を維持する第３の保持機構を有すると共に、筐体に設けられた第１の取り付け穴と係合してその位置を保持する第４の保持機構および筐体に設けられた第２の取り付け穴に嵌合してその位置を保持する第５の保持機構を有するリフレクタと、集光レンズ及び導光体の端部に設置され、リフレクタと集光レンズ及び導光体を筐体の端部で位置固定するホルダーと、導光体の端面に近接して配置され、導光体に光を入射させる光源と、この光源を載置すると共に光源に電力を供給するリード端子を有し、ホルダー端面を覆う基板を備え、筐体の第１の取り付け穴、導光体の第１の保持機構、集光レンズの第２の保持機構、リフレクタの第３の保持機構および第４の保持機構は原稿の読取幅方向の両端以外に１つ乃至複数個設け、筐体の第２の取り付け穴およびリフレクタの第５の保持機構は少なくとも導光体の長手方向の真中となる位置に設けたものである。
【発明の効果】
【０００９】
この発明によれば、導光体及び集光レンズはリフレクタによって長手方向に保持され、かつ導光体及び集光レンズを保持したリフレクタを筐体側の穴で保持させることによって、導光体、集光レンズ、リフレクタのアッセンブル体が筐体基準で長手方向に均一に各々の位置を保持することができ、結果として特段の追加部品、追加調整を行なうことなく、原稿読取にあたって均一な照明を提供することができる。
【図面の簡単な説明】
【００１０】
【図１】この発明の実施の形態１による密着型イメージセンサの全体構成の展開斜視図である。
【図２】この発明の実施の形態１による密着型イメージセンサの搬送方向の断面図である。
【図３】この発明の実施の形態１による密着型イメージセンサの読取幅方向の断面図である。
【図４】この発明の実施の形態１による密着型イメージセンサの光源部端部の読取幅方向の拡大断面図である。
【図５】この発明の実施の形態１による密着型イメージセンサの搬送方向の断面図で、図３の（ａ）位置における断面図である。
【図６】この発明の実施の形態１による密着型イメージセンサの搬送方向の断面図で、図３の（ｂ）位置における断面図である。
【図７】この発明の実施の形態１による密着型イメージセンサの搬送方向の断面図で、図３の（ｃ）位置における断面図である。
【図８】この発明の実施の形態１による密着型イメージセンサの搬送方向の断面図で、図３の（ｄ）位置における断面図である。
【図９】この発明の実施の形態１による密着型イメージセンサで、光源部のみの分解図及び組み合わさった後の斜視図である。
【図１０】この発明の実施の形態２による密着型イメージセンサの搬送方向の断面図である。
【発明を実施するための形態】
【００１１】
実施の形態１．
以下、この発明の実施の形態１における密着型イメージセンサを図１乃至図４により説明する。
図１はこの発明の実施の形態１による密着型イメージセンサの全体構成の展開斜視図、図２は密着型イメージセンサの搬送方向の断面図、図３は密着型イメージセンサの読取幅方向の断面図、図４は密着型イメージセンサの光源部端部の読取幅方向の拡大断面図である。
【００１２】
図１乃至図４において、密着型イメージセンサ（単にイメージセンサと称す場合もある）によって画像情報が読み取られる原稿（被照射体）１は、密着型イメージセンサの搬送方向（副走査方向）に搬送される。密着型イメージセンサを構成する筐体２は、原稿１の読取幅方向（主走査方向）に延在し光を伝達する透明な導光体３、導光体３に沿って設けられ導光体３から出射される光を上部に位置する原稿１の主走査方向の読取位置（照射部Ａ）に集光して照明する透明な集光レンズ４、導光体３内を伝達する光のうち漏れ光を反射して導光体３内に戻すリフレクタ５の各部品を収納している。
【００１３】
導光体３は、図２に示すように、断面が真円形状または略円形であり、その外周の一部には読取幅方向に沿って光を散乱または反射させる光散乱層Ｂ（光散乱領域）が形成されている。光散乱層Ｂは、導光体３の表面に白色のシルク印刷パターン又は蒸着パターンにより構成する。別の方法として導光体３に切溝を設ける方法、導光体３の表面粗さを粗くする構成としても良い。光散乱層Ｂのパターンのパターン形状はパターンピッチを適宜調整して配置することにより、読取幅方向に亘って均一な光の放射を得ることができる。
【００１４】
また、導光体３、集光レンズ４及びリフレクタ５の両端部には、それらの部品の位置を保持するホルダー６が取り付けられている。ホルダー６の外端面にはそれを覆うように屈曲可能な基板（フレキシブル基板)７が設けられ、このフレキシブル基板７の導光体３の
両端面に対応する箇所には、導光体３に光を入射するためのＬＥＤチップを樹脂モールドしたＬＥＤやベアチップなどで構成された光源８が載置されている。フレキシブル基板７は、図４に拡大して示すように後述するセンサ基板１３に向かって延長されたリード端子７ａを有し、このリード端子７ａをセンサ基板１３に設けたコネクタ１３ａに接続することにより、センサ基板１３から光源８に点灯指示を出力するようにしている。さらに、導光体３、集光レンズ４およびリフレクタ５を保持したホルダー６とフレキシブル基板７は、筐体２に位置決めされて収納固定されている。
【００１５】
なお、光源８、導光体３、集光レンズ４およびリフレクタ５により密着型イメージセンサの光源部を構成している。
この光源部を構成する導光体３および集光レンズ４をリフレクタ５に位置決めして保持する構成、およびリフレクタ５を筐体２に位置決めして収納する構成については、後に詳しく説明する。
【００１６】
集光レンズ４と原稿１との間には、原稿１の搬送経路を形成するとともに異物などのイメージセンサ内への流入を防止する透明な透過体９が設けられている。この透過体９と筐体２との間には、イメージセンサ内への異物などの流入を防止するため互いを接着する両面テープ１０が設けられ、この両面テープ１０は黒色であれば照射部Ａに照射される光量を制御することも可能にできる。
筐体２内の中央部には、原稿面で反射した光を収束するロッドレンズアレイ(レンズ体)１１が設けられ、このロッドレンズアレイ１１で収束された光を多数の受光部を直線的に配置したセンサＩＣ１２で光電変換する。
【００１７】
センサＩＣ１２はセンサ基板１３に載置され、センサ基板１３はセンサＩＣ１２で光電変換した光電変換信号を画像信号として、そのまま又はセンサ基板１３に併載している信号処理ＩＣによってアナログ／デジタル変換といった信号処理を施した状態でコネクタ（図示せず）などを介して外部に出力する。
センサ基板１３は、ネジなどの取付け手段１４を用いて筐体２と組み合わされる。なお、ロッドレンズアレイ１１及びセンサＩＣ１２を載置したセンサ基板１３を結像光学系と呼ぶ。
【００１８】
筐体２とセンサ基板１３の間には、基板封止テープ１５が挿入され、筐体２とセンサ基板１３の間の隙間を通してイメージセンサ内に異物などが流入することを防止する。また、リフレクタ５を取り付けるために筐体２に設けた取付穴（後述する）からの漏れ光を防止するために、筐体２の底面に筐体封止テープ１６が貼り付けられる。なお、必要に応じて、基板封止テープ１５および筐体封止テープ１６は省略しても構わない。
【００１９】
以上のような構成の密着型イメージセンサは、光源８から発せられた光を導光体３の端部から入射し、図２に示すように、導光体３の光の伝播方向中心軸に対して光散乱層Ｂと対向する部分の出射部Ｃ（光出射部）から、導光体３の内部導光路を通過する光は集光レンズ４側に放射される。集光レンズ４は導光体３と離間しており、集光レンズ４で集光された照射光は透過体９を介して原稿１の照射部Ａを照明する。
原稿１の面で反射した光はロッドレンズアレイ(レンズ体)１１で収束され、ロッドレンズアレイ１１で収束された光はセンサＩＣ１２で光電変換される。センサＩＣ１２で光電変換された光電変換信号は画像信号としてそのまま、又はセンサ基板１３に併載している信号処理ＩＣによってアナログ／デジタル変換といった信号処理をされて外部に出力される。
【００２０】
次にこの発明の主要構成である光源部を構成する導光体３、集光レンズ４およびリフレクタ５の位置決め保持機構と、光源部を構成するリフレクタ５を筐体２に位置決め収納する機構について、図５乃至図９により説明する。
図３に示した密着型イメージセンサの主走査方向の断面図において、図３に記載の（ａ）（ｂ）（ｃ）（ｄ）の各位置での搬送方向断面図を、それぞれ図５、図６、図７、図８に示す。また、図９は導光体３、集光レンズ４、リフレクタ５の組立てにあたっての斜視図であり、図９（ａ）は導光体３、集光レンズ４、リフレクタ５が組み合わされる前の図、図９（ｂ）は導光体３とリフレクタ５が組み合わされた後の図、図９（ｃ）は図９（ｂ）の状態から集光レンズ４がリフレクタ５に組み合わされた後の図である。
この実施形態１では、光源８、導光体３、集光レンズ４及びリフレクタ５は原稿１の照射部Ａに対して読取幅方向と直交する両側に設置されている。両側の導光体３、集光レンズ４及びリフレクタ５はロッドレンズアレイ１１に対して対称に配置されている。
【００２１】
図３の（a）位置での搬送方向断面図を示す図５は、導光体３、集光レンズ４、リフレクタ５の長手方向（読取幅方向）中央部にあたる。この(a)位置を示す図５では、導光体３の外周部の対向位置（１８０度離れた位置）には、リフレクタ５との位置を保持するための第１の保持機構である突起部３ａ、３ｂが形成されている。一方、リフレクタ５には、導光体３の突起部３ａ、３ｂに係合して導光体３を保持する第３の保持機構である爪部５ａ、５ｂが設けられている。
導光体３をリフレクタ５に組立て時に挿入する際、リフレクタ５の爪部５ａ、５ｂの付け根部分の角状の部分が、それぞれ導光体３の突起部３ａ、３ｂに引っ掛かることで長手方向位置、導光体３の角度が保持される構造になっている。この状態が図９（ｂ）の状態である。 
【００２２】
導光体３をリフレクタ５に挿入した後に集光レンズ４をリフレクタ５に取り付ける。集光レンズ４には、導光体３の突起部３ａ、３ｂと搬送方向断面において同じ位置に組み合わさるように、リフレクタ５の爪部５ａ、５ｂの先端の鍵部分に引っ掛かってリフレクタ５との位置を保持するための第２の保持機構である爪部４ａ、４ｂを有している。リフレクタ５側の爪部５ａ、５ｂが鍵状の形状になっているのに対して、集光レンズ４の爪部４ａ、４ｂは図９（ａ）に示すように輪状になっており、リフレクタ５側の鍵状の爪部５ａ、５ｂに集光レンズ４側の輪状の爪部４ａ、４ｂが各々引っ掛かることで位置固定される。
【００２３】
リフレクタ５の鍵状の爪部５ａ、５ｂと集光レンズ４の輪状の爪部４ａ、４ｂ同士が嵌め合わさった位置によって、集光レンズ４とその前工程でリフレクタ５に組みつけられている導光体３の間の角度、位置が決まるようになっている。この状態が図９（ｃ）の状態である。
次に導光体３、集光レンズ４を組付けたリフレクタ５を筐体２に取り付ける。取り付け方法としては、リフレクタ５の爪部５ａ、５ｂとは光軸方向逆向き、搬送方向断面は同じ位置に設けた第４の保持機構である爪部５ｃ、５ｄを、筐体２側に設けたリフレクタ５取付け用に開口している穴２ａ、２ｂにそれぞれ貫通させて、筐体２に引っ掛けることによって行なう。
【００２４】
また、長手方向中央部では、筐体２の取付け穴２ａ、２ｂの径よりも小さい径の凹状の取付け穴２ｃを筐体２に設け、リフレクタ５の中央部に設けた第５の保持機構である突起部５ｅと嵌合させる。
したがってリフレクタ５は、導光体３の第１の保持機構である突起部３ａ、３ｂと集光レンズ４の第２の保持機構である爪部４ａ、４ｂと係合して導光体３及び集光レンズ４を保持してその位置を維持する第３の保持機構である爪部５ａ、５ｂを有すると共に、筐体２に設けられた取り付け穴２ａ、２ｂと係合してその位置を保持する第４の保持機構である爪部５ｃ、５ｄと、筐体２に設けられた取り付け穴２ｃに嵌合してその位置を保持する第５の保持機構である突起部５ｅを有することになる。 
【００２５】
リフレクタ５の第５の保持機構である突起部５ｅと筐体２の穴２ｃとの嵌合は、リフレクタ５及びリフレクタ５に固定されている導光体３、集光レンズ４が周囲温度の変動する際に、筐体２に対する基準を設けておかないと、例えば高温保存し、その後常温に戻すと筐体２に対するリフレクタ５の位置が製品ごとにリフレクタ５、筐体２の組付け嵌合の強度の差でバラツキが出ることを抑制するために、中央を基準として、リフレクタ５が伸縮するようにすることが目的である。
【００２６】
なお、導光体３の第１の保持機構である突起部３ａ、３ｂと、集光レンズ４の第２の保持機構である爪部４ａ、４ｂと、リフレクタ５の第３の保持機構である爪部５ａ、５ｂと第４の保持機構である爪部５ｃ、５ｄは、図９に示すように原稿１の読取幅方向に複数個（図９では５個）設けている。このように保持機構を複数個設けると、導光体３と集光レンズ４とリフレクタ５のアッセンブル体が筐体２に対して長手方向（読取幅方向）に均一に各々の位置を保持することができる。保持機構を複数個設ける場合は、各保持機構は長手方向（読取幅方向）に対して等距離間隔で配置する。
なお、第１〜第４の保持機構は、複数個に限らず１個でもよい。１個の場合は長手方向（読取幅方向）中央位置に設ける。このようにこの発明は第１〜第４の保持機構を原稿の読取幅方向（長手方向）の両端以外に１つ乃至複数個を設け、１個または奇数個の場合は（読取幅方向）の中央位置に少なくとも１個設けることにより、アッセンブル体が筐体２に対して長手方向に均一に各々の位置を保持することができる。
【００２７】
図３の（ｂ）位置での搬送方向断面図を示す図６は、導光体３、集光レンズ４、リフレクタ５の長手方向（読取幅方向）中央部以外の位置にあたる。この(ｂ)位置の断面を示す図６は、リフレクタの突起部５e、筐体２の凹状の取付け穴２ｃが存在しない以外は、長
手方向（読取幅方向）中央部の位置を示す図５の断面と構成は同じである。図中、図５と
同一符号は同一又は相当部分を示し、詳細な説明は省略する。
【００２８】
図３の（ｃ）位置での搬送方向断面図を示す図７は、長手方向（読取幅方向）で筐体２に対する、リフレクタ５の嵌合の高さ、角度を決める場所の搬送方向断面図になる。
図７において、リフレクタ５の底面側にリフレクタ凸部５ｆを設けており、このリフレクタ凸部５ｆの平面部分と筐体２の平面が突き当たることで、筐体２に対するリフレクタ５の嵌合の高さ、角度が決まる。
【００２９】
図３の（ｄ）位置での搬送方向断面図を示す図８は、位置決め保持する導光体の突起部３ａ、３ｂ、集光レンズ４の爪部４ａ、４ｂ、リフレクタ５の爪部５ａ、５ｂ、５ｃ、５ｄおよび突起部５ｅ、リフレクタ凸部５ｆ、筐体２の取り付け穴２ａ、２ｂ、２ｃといった、ここまで説明したいわゆる第１保持機構〜第４保持機構が存在しない部分の搬送方向断面図になる。
【００３０】
図５〜図７で示した断面図に存在する突起部、爪部、穴、凸部によって、導光体３、集光レンズ４、リフレクタ５、筐体２を固定させることで、固定保持機構の無い図８の位置でも、導光体３、集光レンズ４、リフレクタ５、筐体２の位置関係、角度は固定保持機構のある位置と同様に均一に保つことができる。
中央部断面の図５の固定保持機構は必須であるが、例えば図６のような中央部以外の固定保持機構については、読取幅方向の必要長さ、つまりは導光体３、集光レンズ４、リフレクタ５の長さに応じて、増やしたり減らしたりすれば、読取幅方向の必要長さに応じて、均一な照明を得ることができる。
【００３１】
実施の形態２．
次に、この発明の実施の形態２における密着型イメージセンサを図１０により説明する。
図１０はこの発明の実施の形態２による密着型イメージセンサの搬送方向の断面図である。
実施の形態１の密着型イメージセンサの光源部は、光源８、導光体３、集光レンズ４およびリフレクタ５により構成していたが、実施の形態２の密着型イメージセンサは、図１０に示すように、光源部から集光レンズ４を省略し、光源８、導光体３およびリフレクタ５により光源部を構成したものである。その他の構成は実施の形態１の図５と同じにつき、同一又は相当部分には同一符号を付して詳細な説明は省略する。
原稿１を読み取るために必要な照明は、照明特性によっては集光レンズ４を取り付けずに、集光性を減じた形での使用をおこなっても構わない。
【符号の説明】
【００３２】
１：原稿（被照射体）                    ２：筐体
３：導光体                              ４：集光レンズ
５：リフレクタ                          ６：ホルダー
７：基板（フレキシブル基板）            ８：光源
９：透過体                            １０：両面テープ
１１：レンズ体(ロッドレンズアレイ)      １２：センサＩＣ
１３：センサ基板                        １４：取付け手段(ねじ)
１５：基板封止テープ                    １６：筐体封止テープ
２ａ：筐体取り付け穴                    ２ｂ：筐体取り付け穴
２ｃ：筐体取り付け穴
３ａ：導光体突起部                      ３ｂ：導光体突起部
４ａ：集光レンズ爪部                    ４ｂ：集光レンズ爪部
５ａ：リフレクタ爪部                    ５ｂ：リフレクタ爪部
５ｃ：リフレクタ爪部                    ５ｄ：リフレクタ爪部
５ｅ：リフレクタ突起部                  ５ｆ：リフレクタ凸部
Ａ：照射部                              Ｂ：光散乱層
Ｃ：出射部。
【図１】
0005822481.tif 000002
【図２】
0005822481.tif 000003
【図３】
0005822481.tif 000004
【図４】
0005822481.tif 000005
【図５】
0005822481.tif 000006
【図６】
0005822481.tif 000007
【図７】
0005822481.tif 000008
【図８】
0005822481.tif 000009
【図９】
0005822481.tif 000010
【図１０】
0005822481.tif 000011